(57)【要約】【課題】過去に作成した媒体のページレイアウトに対して、実績の達成状況に応じて表示方法を変化させることを可能とする媒体レイアウト支援システム等を提供する。【解決手段】ページレイアウト装置１０３は、現在の媒体レイアウト６６内に掲載される商品に対して、掲載情報データベース３０２から過去の媒体レイアウト８６内で同商品を掲載している割付情報を検索、取得し、実績情報表示設定情報３２４、商品実績情報３１３に基づいて、実績に応じたマーク画像５２、背景色５３と、過去の媒体レイアウト８６の割付結果を重畳表示する。利用者は過去の媒体レイアウト８６から現在のレイアウトエリア６１上へ商品を割り付けると、過去の媒体レイアウト８６の該当するコマ情報３２３に基づいて、現在のレイアウトエリア６１のコマ割りを再配置し表示する。【選択図】図１４
2008234538.tif 000002
【特許請求の範囲】
【請求項１】
商品情報データベースと、掲載情報データベースとを有し、前記商品情報データベースと前記掲載情報データベースを操作、管理するサーバに、ネットワークを介して接続され、クライアント端末からなるページレイアウト装置であって、
前記商品情報データベースは、商品情報と、前記商品情報の実績情報を記憶、管理するデータベースであって、
前記掲載情報データベースは、前記ページレイアウト装置により作成される、情報媒体を構成するページ毎の、互いに関連する複数の商品情報を掲載するコマに対応付けられる少なくとも１つのコマ情報と、前記情報媒体に対応付けられる実績情報表示設定情報からなるページ割付情報を記憶、管理するデータベースであって、
前記ページ上に指定された分類領域に応じて、前記分類領域の位置サイズを、当該ページに関連付けられる前記分類情報として設定する分類領域割付手段と、
指定された前記分類領域内のコマ割りに応じて、前記分類領域内に商品情報を掲載する少なくとも１つのコマを配置し、前記分類領域に対応する分類情報にコマ数分の前記コマ情報を関連付け、各コマ情報に当該コマの位置サイズを設定するコマ割付手段と、
前記商品情報データベースから取得した１つ以上の商品情報群から選択された商品情報を指定されたコマに掲載し、該当するコマ情報に選択された商品情報を関連付ける商品割付手段と、
前記情報媒体毎に、掲載する商品情報の実績情報に応じて色及び／又は形状により変化する表示方法を前記実績情報表示設定情報として設定する実績情報表示設定手段と、
前記実績情報表示設定手段により設定された実績情報表示設定情報に基づいて、掲載される商品情報毎に、該当する実績情報に応じて変化する色及び／又は形状を重畳表示する実績情報表示手段と、
選択された過去に作成された情報媒体のページ割付情報に基づいて、該情報媒体のページレイアウトを表示し、前記実績情報表示設定情報に基づいて、掲載される商品情報毎に、該当する実績情報に応じて変化する色及び／又は形状を重畳表示する過去媒体レイアウト表示手段と、
現在の情報媒体のページレイアウト上から選択された商品情報を掲載した過去の情報媒体のページ割付情報を、前記掲載情報データベースから検索、取得するページ割付情報検索手段と、
取得した過去に作成された情報媒体のページ割付情報に基づいて、表示された過去の情報媒体のページレイアウト上から選択された商品情報を、現在の情報媒体のページレイアウトに掲載し、該当するコマ情報に過去の情報媒体のコマ情報と同じ位置サイズを設定し、選択された商品情報を関連付ける商品割付手段と、
を具備することを特徴とするページレイアウト装置。
【請求項２】
前記実績情報表示設定手段は、前記実績情報の項目を用いた実績計算式、条件、値、背景色、マーク画像の少なくとも１つを前記実績情報表示設定情報として設定することを特徴とする請求項１記載のページレイアウト装置。
【請求項３】
前記色及び／又は形状により変化する表示方法は、前記マーク画像、及び／又は前記コマの背景色を変化させることを特徴とする請求項１記載のページレイアウト装置。
【請求項４】
入力された検索条件を受付け、前記商品情報データベースから、商品情報を検索、取得する検索手段と、
を、更に具備することを特徴とする請求項１記載のページレイアウト装置。
【請求項５】
作成したページ割付情報を、前記掲載情報データベースに対して登録、保持する登録手段と、
を、更に具備することを特徴とする請求項１記載のページレイアウト装置。
【請求項６】
作成したページ割付情報に基づき、各コマ情報に関連付ける商品情報を当該コマ情報の位置サイズに配置した割付結果を印刷出力する割付結果出力手段と、
を、更に具備することを特徴とする請求項１記載のページレイアウト装置。
【請求項７】
作成したページ割付情報から、前記情報媒体の制作に必要なデータを出力する媒体制作データ出力手段と、
を、更に具備することを特徴とする請求項１記載のページレイアウト装置。
【請求項８】
前記商品情報は、
商品のスペックデータである文字情報、及び／又は前記商品の画像データである素材情報であることを特徴とする請求項１記載のページレイアウト装置。
【請求項９】
クライアント端末からなるページレイアウト装置と、商品情報を記憶、管理する商品情報データベースと、ページ割付情報を記憶、管理する掲載情報データベースとを有し、前記商品情報、及び前記ページ割付情報を提供するサーバと、がネットワークを介して接続される媒体レイアウト支援システムであって、
前記商品情報データベースは、商品情報と、前記商品情報の実績情報を記憶、管理するデータベースであって、
前記掲載情報データベースは、前記ページレイアウト装置により作成される、情報媒体を構成するページ毎の、互いに関連する複数の商品情報を掲載するコマに対応付けられる少なくとも１つのコマ情報と、前記情報媒体に対応付けられる実績情報表示設定情報からなるページ割付情報を記憶、管理するデータベースであって、
前記ページレイアウト装置は、
前記ページ上に指定された分類領域に応じて、前記分類領域の位置サイズを、当該ページに関連付けられる前記分類情報として設定する分類領域割付手段と、
指定された前記分類領域内のコマ割りに応じて、前記分類領域内に商品情報を掲載する少なくとも１つのコマを配置し、前記分類領域に対応する分類情報にコマ数分の前記コマ情報を関連付け、各コマ情報に当該コマの位置サイズを設定するコマ割付手段と、
前記商品情報データベースから取得した１つ以上の商品情報群から選択された商品情報を指定されたコマに掲載し、該当するコマ情報に選択された商品情報を関連付ける商品割付手段と、
前記情報媒体毎に、掲載する商品情報の実績情報に応じて色及び／又は形状により変化する表示方法を前記実績情報表示設定情報として設定する実績情報表示設定手段と、
前記実績情報表示設定手段により設定された実績情報表示設定情報に基づいて、掲載される商品情報毎に、該当する実績情報に応じて変化する色及び／又は形状を重畳表示する実績情報表示手段と、
選択された過去に作成された情報媒体のページ割付情報に基づいて、該情報媒体のページレイアウトを表示し、前記実績情報表示設定情報に基づいて、掲載される商品情報毎に、該当する実績情報に応じて変化する色及び／又は形状を重畳表示する過去媒体レイアウト表示手段と、
現在の情報媒体のページレイアウト上から選択された商品情報を掲載した過去の情報媒体のページ割付情報を、前記掲載情報データベースから検索、取得するページ割付情報検索手段と、
取得した過去に作成された情報媒体のページ割付情報に基づいて、表示された過去の情報媒体のページレイアウト上から選択された商品情報を、現在の情報媒体のページレイアウトに掲載し、該当するコマ情報に過去の情報媒体のコマ情報と同じ位置サイズを設定し、選択された商品情報を関連付ける商品割付手段と、
を具備することを特徴とする媒体レイアウト支援システム。
【請求項１０】
コンピュータを請求項１から請求項８のいずれかに記載のページレイアウト装置として機能させるプログラム。
【請求項１１】
コンピュータを請求項１から請求項８のいずれかに記載のページレイアウト装置として機能させるプログラムを記録した記録媒体。
【発明の詳細な説明】
【技術分野】
【０００１】
本発明は、ネットワークを利用した、商品情報データベースと連携した媒体レイアウト支援システムに係り、特に、売れ筋商品を判別する実績情報表示機能に関する。媒体は、媒体、カタログ等をいう。
【背景技術】
【０００２】
従来から、カタログ、媒体など大量の商品情報データに関わる印刷物の編集制作に適した、データベースを具備したページレイアウトシステムが実用化されている（例えば、特許文献１）。
【０００３】
更に、近年、媒体制作を行う際に、コンピュータの普及に伴い、カタログに載せる商品データをデータベース化して利用することが始まっている。得意先を含めた形態で、データベースと連携して制作作業を行うことができるデスクトップパブリッシング（ＤＴＰ）作業と親和性の高い媒体制作システムが運用され、媒体制作作業の効率化が図られてきている。
【０００４】
【特許文献１】特開２００４−２２０５４８号公報
【発明の開示】
【発明が解決しようとする課題】
【０００５】
媒体のページレイアウトを作成する際には、過去に媒体を作成した際に、実際にどれだけ商品が売れたかといった実績情報も考慮しながら、次の媒体作成におけるレイアウトを決定する。
しかしながら、従来のシステムでは、過去に作成した媒体の実物（媒体、カタログ）と、実績情報を整理したリストをそれぞれ持ち寄ってつきあわせながら検討を行っている。そのため、媒体の実物と実績情報との対応付け（リストから対象の商品を見つけること、前回レイアウトした掲載位置やサイズと実績情報の関係）が困難であり、作業効率の低下を招く原因となっていた。
【０００６】
本発明は、以上の点に鑑みてなされたものであり、過去に作成した媒体のページレイアウトに対して、実績の達成状況に応じて表示方法を変化させることを可能とする媒体レイアウト支援システム等を提供することを目的とする。
【課題を解決するための手段】
【０００７】
前述した目的を達成するために第１の発明は、商品情報データベースと、掲載情報データベースとを有し、前記商品情報データベースと前記掲載情報データベースを操作、管理するサーバに、ネットワークを介して接続され、クライアント端末からなるページレイアウト装置であって、前記商品情報データベースは、商品情報と、前記商品情報の実績情報を記憶、管理するデータベースであって、前記掲載情報データベースは、前記ページレイアウト装置により作成される、情報媒体を構成するページ毎の、互いに関連する複数の商品情報を掲載するコマに対応付けられる少なくとも１つのコマ情報と、前記情報媒体に対応付けられる実績情報表示設定情報からなるページ割付情報を記憶、管理するデータベースであって、前記ページ上に指定された分類領域に応じて、前記分類領域の位置サイズを、当該ページに関連付けられる前記分類情報として設定する分類領域割付手段と、指定された前記分類領域内のコマ割りに応じて、前記分類領域内に商品情報を掲載する少なくとも１つのコマを配置し、前記分類領域に対応する分類情報にコマ数分の前記コマ情報を関連付け、各コマ情報に当該コマの位置サイズを設定するコマ割付手段と、前記商品情報データベースから取得した１つ以上の商品情報群から選択された商品情報を指定されたコマに掲載し、該当するコマ情報に選択された商品情報を関連付ける商品割付手段と、前記情報媒体毎に、掲載する商品情報の実績情報に応じて色及び／又は形状により変化する表示方法を前記実績情報表示設定情報として設定する実績情報表示設定手段と、前記実績情報表示設定手段により設定された実績情報表示設定情報に基づいて、掲載される商品情報毎に、該当する実績情報に応じて変化する色及び／又は形状を重畳表示する実績情報表示手段と、選択された過去に作成された情報媒体のページ割付情報に基づいて、該情報媒体のページレイアウトを表示し、前記実績情報表示設定情報に基づいて、掲載される商品情報毎に、該当する実績情報に応じて変化する色及び／又は形状を重畳表示する過去媒体レイアウト表示手段と、現在の情報媒体のページレイアウト上から選択された商品情報を掲載した過去の情報媒体のページ割付情報を、前記掲載情報データベースから検索、取得するページ割付情報検索手段と、取得した過去に作成された情報媒体のページ割付情報に基づいて、表示された過去の情報媒体のページレイアウト上から選択された商品情報を、現在の情報媒体のページレイアウトに掲載し、該当するコマ情報に過去の情報媒体のコマ情報と同じ位置サイズを設定し、選択された商品情報を関連付ける商品割付手段と、を具備することを特徴とするページレイアウト装置である。
【０００８】
また、前記実績情報表示設定手段は、前記実績情報の項目を用いた実績計算式、条件、値、背景色、マーク画像の少なくとも１つを前記実績情報表示設定情報として設定することが望ましい。
また、前記色及び／又は形状により変化する表示方法は、前記マーク画像、及び／又は前記コマの背景色を変化させることが望ましい。
【０００９】
「商品情報」は、商品の文字情報（スペックなど）や、商品の素材情報（画像情報）等からなる。
「ページ割付情報」は、情報媒体を構成するページ毎の、互いに関連する複数の商品情報を掲載する分類領域の位置とサイズとを有する少なくとも１つの分類情報と、分類情報に関連付けられる分類領域内の少なくとも１つの掲載枠であるコマの位置とサイズと関連付けられる商品情報を有するコマ情報と、からなる。
「情報媒体（媒体）」は、具体的には、媒体、カタログ等をいう。紙に印刷されるか、デジタルデータで利用されるかは問わない。
「ページ」は情報媒体を構成し、ページ上に少なくとも１つ以上の互いに関連する複数の商品情報を掲載するまとまった領域である「分類領域」を有する。各分類領域内に、コマ割りに応じて、少なくとも１つ以上の「コマ（掲載領域）」を有し、「コマ（掲載領域）」には、１つの商品情報が掲載される。
「実績情報」は、過去に作成した媒体に掲載された商品の売上実績額、売上数等の実績情報である。
「実績情報表示設定情報」は、掲載する商品情報の実績情報に応じてマーク画像、またはコマの背景色により変化する表示方法を設定するものであり、実績情報の項目を用いた実績計算式、条件、値、背景色、マーク画像等からなる。
【００１０】
第１の発明では、過去に作成した媒体のページレイアウトに対して、実績の達成状況に応じて表示方法を変化させることにより、過去の媒体レイアウトと実績情報との関係を分かりやすく表示し、売れ筋商品の判別を可能とし、次の媒体作成のページレイアウトに役立てることができる。
また、新しく媒体を作成する際のページレイアウト作業において、レイアウト上で選択された商品情報から掲載した過去のレイアウトを検索し、表示された過去のレイアウト上の掲載される商品の実績の達成状況応じた表示を参考に、過去の媒体のレイアウトから選択した商品情報及びコマ割りを現在のページレイアウトに割り付けることにより、ページレイアウト作業の効率化を図り、更に、効果的なレイアウト配置と商品選定を行うことができ、販売促進効果の高い媒体作成を実現することを可能とする。
【００１１】
また、第２の発明は、クライアント端末からなるページレイアウト装置と、商品情報を記憶、管理する商品情報データベースと、ページ割付情報を記憶、管理する掲載情報データベースとを有し、前記商品情報、及び前記ページ割付情報を提供するサーバと、がネットワークを介して接続される媒体レイアウト支援システムであって、前記商品情報データベースは、商品情報と、前記商品情報の実績情報を記憶、管理するデータベースであって、前記掲載情報データベースは、前記ページレイアウト装置により作成される、情報媒体を構成するページ毎の、互いに関連する複数の商品情報を掲載するコマに対応付けられる少なくとも１つのコマ情報と、前記情報媒体に対応付けられる実績情報表示設定情報からなるページ割付情報を記憶、管理するデータベースであって、前記ページレイアウト装置は、前記ページ上に指定された分類領域に応じて、前記分類領域の位置サイズを、当該ページに関連付けられる前記分類情報として設定する分類領域割付手段と、指定された前記分類領域内のコマ割りに応じて、前記分類領域内に商品情報を掲載する少なくとも１つのコマを配置し、前記分類領域に対応する分類情報にコマ数分の前記コマ情報を関連付け、各コマ情報に当該コマの位置サイズを設定するコマ割付手段と、前記商品情報データベースから取得した１つ以上の商品情報群から選択された商品情報を指定されたコマに掲載し、該当するコマ情報に選択された商品情報を関連付ける商品割付手段と、前記情報媒体毎に、掲載する商品情報の実績情報に応じて色及び／又は形状により変化する表示方法を前記実績情報表示設定情報として設定する実績情報表示設定手段と、前記実績情報表示設定手段により設定された実績情報表示設定情報に基づいて、掲載される商品情報毎に、該当する実績情報に応じて変化する色及び／又は形状を重畳表示する実績情報表示手段と、選択された過去に作成された情報媒体のページ割付情報に基づいて、該情報媒体のページレイアウトを表示し、前記実績情報表示設定情報に基づいて、掲載される商品情報毎に、該当する実績情報に応じて変化する色及び／又は形状を重畳表示する過去媒体レイアウト表示手段と、現在の情報媒体のページレイアウト上から選択された商品情報を掲載した過去の情報媒体のページ割付情報を、前記掲載情報データベースから検索、取得するページ割付情報検索手段と、取得した過去に作成された情報媒体のページ割付情報に基づいて、表示された過去の情報媒体のページレイアウト上から選択された商品情報を、現在の情報媒体のページレイアウトに掲載し、該当するコマ情報に過去の情報媒体のコマ情報と同じ位置サイズを設定し、選択された商品情報を関連付ける商品割付手段と、を具備することを特徴とする媒体レイアウト支援システムである。
【００１２】
第２の発明は、第１の発明のページレイアウト装置と、データベース管理を行い、商品情報、ページ割付情報を提供するサーバから構成される媒体レイアウト支援システムに関する発明である。
【００１３】
第３の発明は、コンピュータを第１の発明のページレイアウト装置として機能させるプログラムである。
第４の発明は、コンピュータを第１の発明のページレイアウト装置として機能させるプログラムを記録した記録媒体である。
【００１４】
上述のプログラムをＣＤ−ＲＯＭ等の記録媒体に保持させて流通させてもよいし、このプログラムを通信回線を介して送受することもできる。
【発明の効果】
【００１５】
本発明は、過去に作成した媒体のページレイアウトに対して、実績の達成状況に応じて表示方法を変化させることを可能とする媒体レイアウト支援システム等を提供することができる。
【発明を実施するための最良の形態】
【００１６】
以下に、添付図面を参照しながら、本発明に係る媒体レイアウト支援システム等の好適な実施形態について詳細に説明する。なお、以下の説明および添付図面において、略同一の機能構成を有する構成要素については、同一の符号を付することにより重複説明を省略することにする。
【００１７】
図１は、本発明の本実施の形態に係る媒体レイアウト支援システム１００の概略構成を示す図である。
【００１８】
図１は、媒体レイアウト支援システム１００の１例であり、図１に示すように、媒体レイアウト支援システム１００は、サーバ１０１、複数のクライアント端末１０３等が、ネットワーク１０９を介して接続されて構成される。
【００１９】
ネットワーク１０９は、インターネット、ローカルエリアネットワーク（ＬＡＮ）、社内ＬＡＮ等のネットワークであり、有線、無線を問わない。
【００２０】
サーバ１０１は、サーバコンピュータ等であり、データベース管理手段１１１を有する。データベース管理手段１１１は、データベースエンジンであり、クライアント端末１０３からの要求に応じて、商品情報データベース３０１及び掲載情報データベース３０２への検索、参照、登録、削除等の各種要求に対する該当処理を行う。
【００２１】
クライアント端末１０３は、パーソナルコンピュータ、携帯型端末機（Ｐｅｒｓｏｎａｌ  Ｄｉｇｉｔａｌ  Ａｓｓｉｓｔａｎｔ）等である。クライアント端末１０３は、ページレイアウト装置であり、サーバ１０１の商品情報データベース３０１を利用して媒体、カタログ等の媒体制作時における、ページレイアウト及び商品割り付け処理を行う。
尚、媒体とは、情報媒体であり、具体的には、商品カタログ、媒体、企画書、提案書等をいう。紙に印刷されるか、デジタルデータで利用されるかは問わない。
【００２２】
クライアント端末（ページレイアウト装置）１０３は、分類領域割付手段１２１、コマ（掲載領域）割付手段１２２、検索手段１２３、商品割付手段１２４、割付情報記録手段１２５、割付結果出力手段１２６、媒体制作データ出力手段１２７、及び、本発明の特徴点である実績情報表示設定手段１３１、実績情報表示手段１３２、過去媒体レイアウト表示手段１３３、過去媒体での商品検索手段１３４、過去媒体からの商品割付手段１３５等を有する。
【００２３】
分類領域割付手段１２１は、媒体を構成するページ上に、互いに関連する複数の商品情報を掲載する分類毎の領域である分類領域を設定する。
コマ（掲載領域）割付手段１２２は、各分類領域内のコマ割りを設定する。コマは、１商品情報を掲載する掲載領域である。
検索手段１２３は、商品情報データベース３０１に対する商品情報の検索要求をサーバ１０１に発行し、商品情報を取得する。
商品割付手段１２４は、検索結果である商品情報群から、選択された商品情報を指定されたコマに割り付ける。
割付情報記録手段１２５は、作成した割付情報を、サーバ１０１を介して、掲載情報データベース３０２に登録、保持する。
割付結果出力手段１２６は、割付情報に基づき、割付結果を印刷出力する。
媒体制作データ出力手段１２７は、割付情報から、媒体の制作に必要なテキストデータを出力する。
【００２４】
実績情報表示設定手段１３１は、媒体毎に、掲載する商品情報の商品実績情報（実績の達成状況）に応じて背景色、マーク（アイコン）により変化する表示方法を実績情報表示設定情報として設定する。
実績情報表示手段１３２は、実績情報表示設定手段１３１により設定された実績情報表示設定情報に基づいて、掲載される商品情報毎に、該当する商品実績情報（実績の達成状況）に応じて変化する背景色、マーク（アイコン）を重畳表示する。
過去媒体レイアウト表示手段１３３は、過去に作成された情報媒体のページレイアウトを表示し、実績情報表示設定情報に基づいて、掲載される商品情報毎に、該当する商品実績情報（実績の達成状況）に応じて変化する背景色、マーク（アイコン）を重畳表示する。
過去媒体での商品検索手段１３４は、現在の情報媒体のページレイアウト上から選択された商品情報を掲載した過去の情報媒体の割付情報を、掲載情報データベース３０２から検索、取得する。
過去媒体からの商品割付手段１３５は、過去の情報媒体のページレイアウト上から選択された商品情報を、現在の情報媒体のページレイアウトに掲載し、選択された商品情報を関連付ける。
【００２５】
尚、本実施の形態の媒体レイアウト支援システム１００は、ＷＷＷ（Ｗｏｒｌｄ  Ｗｉｄｅ  Ｗｅｂ）技術を用いて実現し、サーバ１０１はＷｅｂサーバを、クライアント端末１０３はＷｅｂブラウザを搭載し、サーバ１０１とクライアント端末１０３は、夫々、Ｗｅｂサーバ、Ｗｅｂブラウザを介して、データの送受信を行う。
【００２６】
次に、サーバ１０１のハードウェア構成を説明する。図２は、サーバ１０１のハードウェア構成図である。
【００２７】
サーバ１０１は、制御部２０１、記憶部２０２、メディア入出力部２０３、通信制御部２０４、入力部２０５、表示部２０６、印刷部２０７等が、システムバス２０９を介して接続されて構成される。
【００２８】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２９】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う各種データベース管理処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３０】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う各種データベース管理処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３１】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３２】
通信制御部２０４は、通信制御装置、通信ポート等を有し、サーバ１０１とネットワーク１０９間の通信を媒介する通信インタフェースであり、ネットワーク１０９を介して、サーバ１０１と、クライアント端末１０３間の通信制御を行う。
【００３３】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００３４】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３５】
印刷部２０７は、プリンタであり、印刷出力処理を行う。
システムバス２０９は、各装置間の制御信号、データ信号等の授受を媒介する経路である。
【００３６】
次に、図３を参照しながら、サーバ１０１の記憶部２０２が保持する情報について説明する。図３は、記憶部２０２が保持する情報を示す図である。
【００３７】
記憶部２０２内には、複数の商品情報データベース３０１、掲載情報データベース３０２、及び制御プログラム３９１、アプリケーションプログラム３９２等が格納されている。
【００３８】
図４は、商品情報データベース３０１と掲載データベース３０２のデータ構造を示す図である。
図４に示すように、商品情報データベース３０１は、複数の商品情報３１０、複数の商品実績情報３１３からなる。尚、サーバ１０１が管理する商品情報データベース３０１は、必要に応じて、複数存在してもよい。
【００３９】
商品情報３１０は、商品情報ＩＤ、商品のスペック情報３１１（文字情報）、商品の素材情報３１２（画像情報）等からなる。
商品実績情報３１３は、商品情報３１０に関連付けられ、売上実績情報等からなる。
【００４０】
尚、商品情報データベース３０１のデータ構成は、この構成に限られるものではない。
【００４１】
掲載情報データベース３０２は、クライアント端末（ページレイアウト装置）１０３により作成される割付情報３２０からなる。
割付情報３２０は、媒体等の媒体を構成するページ２１毎のページレイアウトの情報であり、媒体情報３２１、少なくとも１つの分類情報３２２、少なくとも１つのコマ情報３２３、実績情報表示設定情報３２４等からなる。
【００４２】
図５は、ページレイアウトの情報のデータ構成を示す図である。
図５に示すように、作成するページレイアウトの情報は、ページ２１、分類領域２２、コマ（掲載領域）２３の階層構造でデータを管理する。
ページ２１は媒体（情報媒体）を構成し、ページ２１上に少なくとも１つ以上の互いに関連する複数の商品情報を掲載するまとまった領域である分類領域２１を有する。各分類領域２２内に、コマ割りに応じて、少なくとも１つ以上のコマ（掲載領域）２３を有し、コマ（掲載領域）２３には、１つの商品情報３１０が掲載される。
【００４３】
媒体情報３２１は、媒体ＩＤ、媒体名、サイズ、発刊日等からなる。
【００４４】
分類情報３２２は、互いに関連する複数の商品情報３１０（スペック情報３１１、素材情報３１２等の商品値組情報）を掲載する分類領域２２の位置サイズ情報であり、媒体情報３２１から関連付けられる少なくとも１つ以上の分類情報３２２からなる。分類情報３２２は、媒体ＩＤ、分類ＩＤ、分類領域サイズ、分類領域位置情報（例えば、分類領域左下座標、分類領域座標右上座標）等からなる。
【００４５】
コマ情報３２３は、各分類領域２２内に割り付けられるコマ（掲載領域）２３の位置サイズ情報及び掲載する商品情報ＩＤであり、分類情報３２２から関連付けられる少なくとも１つ以上のコマ情報３２３からなる。コマ情報３２３は、分類ＩＤ、コマＩＤ、コマサイズ、コマ位置情報（例えば、コマ左下座標、コマ座標右上座標）、掲載する商品情報ＩＤ、担当のユーザ情報ＩＤ等からなる。
【００４６】
実績情報表示設定情報３２４は、掲載する商品情報の商品実績情報（実績の達成状況）に応じて背景色、マーク画像により変化する表示方法を示し、媒体情報３２１から関連付けられ、媒体ＩＤ、実績情報表示設定ＩＤ、マーク画像５２、背景色５２、実績情報計算式５４、条件５５、値５６等の情報からなる。マーク画像５２は、マークとして表示する画像であり、例えば、星印である。背景色５２は、掲載枠であるコマの背景色である。実績情報計算式５４は、商品実績情報３１３の項目を使用した計算式であり、例えば、「「売上目標」／「売上実績」×１００」である。条件５５は、実績情報計算式５４に対する、＝、＞＝、＜＝、＞、＜等である。値５６は、実績情報計算式５４、条件５５に対する閾値である。例えば、実績情報表示設定として、「「売上目標」／「売上実績」×１００  ＞＝  ９０の場合、マーク：星印、コマの背景色：赤色とする」を設定する。
尚、掲載情報データベース３０２のデータ構成は、この構成に限られるものではない。
【００４７】
制御プログラム３９１は、サーバ１０１の各構成部分を駆動制御するプログラムであり、ＯＳ（オペレーティングシステム）に相当する。
アプリケーションプログラム３９２は、サーバ１０１が行うデータ管理手段１１１に相当する実行可能プログラムである。
【００４８】
次に、図６を参照しながら、クライアント端末（ページレイアウト装置）１０３のハードウェア構成を説明する。図６は、クライアント端末１０３のハードウェア構成図である。
【００４９】
クライアント端末１０３は、制御部４０１、記憶部４０２、通信制御部４０３、メディア入出力部４０４、入力部４０５、表示部４０６、印刷部４０７等が、システムバス４０９を介して接続される。
クライアント端末１０３のハードウェア構成は、図２について前述したサーバ１０１と同様の構成を採る。
【００５０】
尚、記憶部４０２には、プログラムに関しては、ＯＳ（オペレーティングシステム）に相当する制御プログラム３９１や、本コンピュータを適用するクライアント端末（ページレイアウト装置）１０３が行う後述の処理に相当する（図７、図８参照）実行可能プログラムであり、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、実績情報表示設定手段１３１、実績情報表示手段１３２、過去媒体レイアウト表示手段１３３、過去媒体での商品検索手段１３４、過去媒体からの商品割付手段１３５等に該当するページレイアウト処理プログラムである。これらの各プログラムコードは、制御部４０１により必要に応じて読み出されてＲＡＭに移され、ＣＰＵに読み出されて各種の手段として実行される。
【００５１】
次に、本発明の特徴点である、実績情報表示設定手段１３１、実績情報表示手段１３２、過去媒体レイアウト表示手段１３３、過去媒体での商品検索手段１３４、過去媒体からの商品割付手段１３５の処理に相当するクライアント端末（ページレイアウト装置）１０３の実績情報表示を伴うページレイアウト処理の処理動作について説明する。
【００５２】
クライアント端末１０３の記憶部４０２には、アプリケーションプログラム３９２であるページレイアウト処理プログラムがインストールされており、以下のクライアント端末１０３のページレイアウト処理（分類領域割付手段１２１、コマ（掲載領域）割付手段１２２、検索要求手段１２３、商品割付手段１２４、割付情報記録手段１２５、割付結果出力手段１２６、媒体制作データ出力手段１２７、実績情報表示設定手段１３１、実績情報表示手段１３２、過去媒体レイアウト表示手段１３３、過去媒体での商品検索手段１３４、過去媒体からの商品割付手段１３５等）は、クライアント１０３の制御部４０１によって行われる。
サーバ１０１の記憶部２０２には、アプリケーションプログラム３９２であるデータベース管理プログラムがインストールされている。以下のサーバ１０１の処理は、このデータベース管理プログラムの制御に従って、サーバ１０１の制御部２０１によって行われる。
【００５３】
まず、図７、図１１を参照しながら、媒体の実績情報表示設定処理の処理手順について説明する。
図７は、媒体の実績情報表示設定処理の処理手順を示すフローチャートである。
図１１は、ログインから実績情報表示設定処理への画面遷移図である。
【００５４】
クライアント端末（ページレイアウト装置）１０３の制御部４０１は、サーバ１０１にアクセスし、データベースにログイン要求を行う（ステップＳ７０１）。
【００５５】
例えば、クライアント端末１０３から、サーバ１０１の所定のＵＲＬを指定してサーバ１０１にアクセスし、サーバ１０１の制御部２０１は、ログイン画面データをクライアント端末１０３に送信する。クライアント端末１０３の制御部４０１は、ログイン画面３０に従って、入力されたユーザＩＤ、パスワード、サーバ名をサーバ１０１に送信する。
【００５６】
サーバ１０１の制御部２０１は、受け取ったユーザＩＤ、パスワード等からユーザ認証を行い、正しくユーザ認証された場合、指定されたサーバ名に応じた商品情報データベース３０１、掲載情報データベース３０２を設定、接続する（ステップＳ７０２）。
【００５７】
クライアント端末１０３の制御部４０１は、掲載情報データベース３０２の媒体情報３２１を基に、媒体レイアウト一覧画面４０を表示する（ステップＳ７０３）。
媒体レイアウト一覧画面４０は、媒体レイアウト情報４３からなる媒体レイアウトリスト４２、及び「実績情報表示設定」ボタン４１からなる。媒体レイアウトリスト４２は、１又は複数の媒体レイアウト情報４３からなり、媒体レイアウト情報４３は、品目、媒体名、号数、作成日等の情報を有する。「実績情報表示設定」ボタン４１をクリックすることにより、実績情報表示設定画面５０を別画面で表示される。
利用者は、媒体レイアウト情報４３を選択し、「実績情報表示設定」ボタン４１をクリックする（ステップＳ７０４）。
【００５８】
制御部４０１は、実績情報表示設定画面５０を表示する（ステップＳ７０５）。
図１２は、実績情報表示設定画面５０を示す図である。
図１２に示すように、実績情報表示設定画面５０には、実績情報表示設定情報３２４を設定するマーク画像５２、背景色５３、実績情報計算式５４、条件５５、値５６等の入力フィールド、及び「条件追加」ボタン５７、「条件削除」ボタン５８、「設定」ボタン５９等からなる。マーク画像５２は、マークとして表示する画像を設定し、「参照」により画像を選択できる。背景色５２は、掲載枠であるコマの背景色であり、カラーパレットから表示したい色を選択する。実績情報計算式５４は、商品実績情報３１３の項目を使用した計算式であり、例えば、「「売上目標」／「売上実績」×１００」であり、実績の達成率を表す。条件５５は、実績情報計算式５４に対する、＝、＞＝、＜＝、＞、＜等である。値５６は、実績情報計算式５４、条件５５に対する条件値である。例えば、「売上目標」／「売上実績」×１００  ＞＝  ９０の場合（実績の達成率９０％以上の場合）、マーク：黄色星印、コマの背景色：赤色で表示するように設定する。「設定」ボタン５９により、入力した実績情報表示設定項目を登録する。
【００５９】
利用者は、実績情報を表示するために、マーク画像５２、背景色５３、実績情報計算式５４、条件５５、値５６を指定し、「設定」ボタン５９をクリックする（ステップＳ７０６）。
制御部４０１は、指定されたマーク画像５２、背景色５３、実績情報計算式５４、条件５５、値５６等の項目情報からなる当該媒体情報３２１に関連付けられる実績情報表示設定情報３２４を生成する（ステップＳ７０７）。
【００６０】
制御部４０１は、サーバ１０１に対して、実績情報表示設定情報３２４を掲載情報データベース３０２への登録要求を発行する（ステップＳ７０８）。
サーバ１０１の制御部２０１は、掲載情報データベース３０２上に、受け取った実績情報表示設定情報３２４を登録、保持する（ステップＳ７０９）。
【００６１】
次に、図８、図１３を参照しながら、過去の媒体レイアウト一覧から選択した過去の媒体レイアウトの表示処理について説明する。
図８は、過去の媒体レイアウト一覧から選択した過去の媒体レイアウトの表示処理の処理手順を示すフローチャートである。
図１３は、過去の媒体レイアウト一覧から選択した過去の媒体レイアウトの表示の画面遷移図である。
【００６２】
クライアント端末（ページレイアウト装置）１０３の制御部４０１は、レイアウト画面６０を表示する（ステップＳ８０１）。
【００６３】
レイアウト画面６０には、現在のレイアウトエリア６１、媒体レイアウトリスト６２、掲載リスト６４、媒体ツリー６５、メニュバー６７等が表示される。
現在のレイアウトエリア６１は、レイアウト作業を行うエリアであり、現在作成中の媒体レイアウト６６を表示する。
媒体レイアウトリスト６２は、媒体ツリー６５の中から選択されたフォルダに含まれる媒体情報を示す媒体レイアウト情報６３の一覧を表示する。
掲載リスト６４は、レイアウトエリア６１に表示されたページ２１のコマ（掲載領域）２３に配置された商品情報ＩＤ、コマサイズ等を示すコマ情報レコードからなる。
媒体ツリー６５は、媒体情報３２１に基づいた媒体のツリー構造を表す。
メニュバー６７は、ページレイアウト装置１０３の様々な操作を行うためのメニュを呼び出すインタフェースである。例えば、商品情報データベース３０１に対して検索を行う場合は、メニュバー６７の「検索」をプルダウンして検索ダイアログを呼び出す。
【００６４】
メニュバー６７から過去の媒体レイアウト一覧画面７０を表示する（ステップＳ８０２）。
利用者は、過去の媒体レイアウト一覧画面７０の過去の媒体レイアウトリスト７２から所望する過去の媒体レイアウト情報７３を選択し、「選択」ボタン７１をクリックする（ステップＳ８０３）。
制御部４０１は、選択された過去の媒体レイアウト情報７２に該当する媒体の割付情報３２０、商品情報データベース３０１の商品情報３１０と商品実績情報３１３の読み出し要求を発行する（ステップＳ８０４）。
【００６５】
サーバ１０１の制御部２０１は、掲載情報データベース３０２から選択された媒体の割付情報３２０を抽出し、送信し（ステップＳ８０５）、商品情報データベース３０１から選択された媒体の商品情報３１０、商品実績情報３１３を抽出し、送信する（ステップＳ８０６）。
【００６６】
クライアント端末（ページレイアウト装置）１０３の制御部４０１は、取得した割付情報３２０、商品情報３１０に基づいて、ページ設定、コマ設定、掲載する商品情報の割付けを行う（ステップＳ８０７）。
制御部４０１は、取得した実績情報表示設定情報３２４、商品実績情報３１３に基づいて、各コマ２３に掲載される商品情報３１０毎に、対応付けられる商品実績情報３２４を用いて実績情報計算式５４を用いて実績計算し、計算結果から満たす条件に該当するマーク画像５２、背景色５３を該コマ２３に設定、割り付ける（ステップＳ８０８）。
制御部４０１は、設定した過去の媒体レイアウトの割付結果、及び実績に応じたコマ２３のマーク画像５２、背景色５３を重畳表示し、過去のレイアウト画面８０を別画面で表示する（ステップＳ８０９）。
図１３に示すように、過去のレイアウト画面８０のレイアウトエリア（過去）８１には、実績に応じたコマ２３のマーク画像５２、背景色５３が表示された、過去の媒体レイアウト８６が表示される。
【００６７】
次に、図９、図１０、図１４を参照しながら、過去の媒体レイアウト８６内からの商品検索及び過去の媒体レイアウト８６から商品の現在の媒体レイアウト６６への割り付けを行う処理手順を説明する。
図９、図１０は、過去の媒体レイアウト８６内からの商品検索及び過去の媒体レイアウト８６から商品の現在の媒体レイアウト６６への割り付けを行う処理手順を示すフローチャートである。
図１４は、過去の媒体レイアウト８６内からの商品検索及び過去の媒体レイアウト８６から商品の現在の媒体レイアウト６６への割り付けを示す図である。
【００６８】
クライアント端末（ページレイアウト装置）１０３の制御部４０１は、現在のレイアウトエリア６１内のコマ２３に掲載したい商品を仮割付する（ステップＳ９０１）。
制御部４０１は、利用者の右クリック且つ「検索」ボタンクリックにより、掲載情報データベース３０２に対して、過去の媒体レイアウト８６内での掲載されている商品情報３１０の検索要求をサーバ１０１に発行する（ステップＳ９０２）。
【００６９】
サーバ１０１の制御部２０１は、掲載情報データベース３０２から、当該商品情報３１０の掲載されている割付情報３２０を抽出し、送信する（ステップＳ９０３）。
サーバ１０１の制御部２０１は、商品情報データベース３０１から、当該商品情報３１０の商品実績情報３１３を抽出し、送信する（ステップＳ９０４）。
【００７０】
クライアント端末（ページレイアウト装置）１０３の制御部４０１は、取得した割付情報３２０、商品情報３１０に基づいて、ページ設定、コマ設定、掲載する商品情報の割り付けを行う（ステップＳ９０５）。
制御部４０１は、取得した実績情報表示設定情報３２４、商品実績情報３１３に基づいて、各コマ２３に掲載される商品情報３１０毎に、対応付けられる商品実績情報３２４を用いて実績情報計算式５４を用いて実績計算し、計算結果から満たす条件に該当するマーク画像５２、背景色５３を該コマ２３に設定（ステップＳ９０６）。
制御部４０１は、別画面で過去のレイアウトエリア８１に設定した過去の媒体レイアウト８６の割付結果、及び実績に応じたコマ２３のマーク画像５２、背景色５３を重畳表示する（ステップＳ９０７）。
【００７１】
利用者は、ドラッグ＆ドロップで、過去の媒体レイアウト８６から現在のレイアウトエリア６１上へ商品を割り付ける（ステップＳ１００１）。
制御部４０１は、過去の媒体レイアウト８６の該当するコマ情報３２３に基づいて、現在のレイアウトエリア６１のコマ割りを再配置する（ステップＳ１００２）。すなわち、制御部４０１は、過去の媒体レイアウト８６の検索された商品のコマ情報３２３のコマサイズ、コマ位置情報を、現在の媒体レイアウト６６の該コマ情報３２３に再設定する。
制御部４０１は、現在の媒体レイアウトエリア６１に割付結果を表示する（ステップＳ１００３）。
【００７２】
制御部４０１は、掲載情報データベース３０２に対する、作成した媒体レイアウト６６の割付情報３２０の登録、保持要求をサーバ１０１に発行する（ステップＳ１００４）。
サーバ２０１の制御部２０１は、掲載情報データベース３０２に割付情報３２０を登録、保持する（ステップＳ１００５）。
【００７３】
以上説明したように、本発明の実施の形態によれば、商品情報データベース３０１と、媒体のページ毎の割付情報３２０を記憶管理する掲載情報データベース３０２を有するサーバ１０１に接続されるページレイアウト装置１０３は、媒体毎に、掲載する商品情報の商品実績情報３１３に応じてマーク画像５２、背景色５３により変化する表示方法を実績情報表示設定情報３２４として設定する実績情報表示設定手段１３１と、設定された実績情報表示設定情報３２４に基づいて、掲載される商品情報３１０毎に、該当する商品実績情報（実績の達成状況）に応じて変化するマーク画像５２、背景色５３を重畳表示する実績情報表示手段１３２と、過去に作成された媒体レイアウト８６を表示し、実績情報表示設定情報３２４に基づいて、掲載される商品情報３１０毎に、該当する商品実績情報３１３に応じてマーク画像５２、背景色５３を重畳表示する過去媒体レイアウト表示手段１３３と、現在の媒体レイアウト上から選択された商品情報３１０を掲載した過去の媒体の割付情報３２０を、掲載情報データベース３０２から検索、取得する過去媒体での商品検索手段１３４と、過去の媒体レイアウト８６上から選択された商品情報３１０を、現在の媒体レイアウト６６に掲載し、選択された商品情報３１０を関連付ける過去媒体からの商品割付手段１３５と、を備え、実績の達成状況に応じて表示方法を変化させるページレイアウト処理を行う。
【００７４】
これにより、過去に作成した媒体のページレイアウトに対して、実績の達成状況に応じて表示方法を変化させることにより、過去の媒体レイアウトと実績情報との関係を分かりやすく表示し、売れ筋商品の判別を可能とし、次の媒体作成のページレイアウトに役立てることができる。
新しく媒体を作成する際のページレイアウト作業において、レイアウト上で選択された商品情報から掲載した過去のレイアウトを検索し、表示された過去のレイアウト上の掲載される商品の実績の達成状況応じた表示を参考に、過去の媒体のレイアウトから選択した商品情報及びコマ割りを現在のページレイアウトに割り付けることにより、ページレイアウト作業の効率化を図り、更に、効果的なレイアウト配置と商品選定を行うことができ、販売促進効果の高い媒体作成を実現することを可能とする。
【００７５】
尚、本実施の形態では、サーバ１０１に、データベース管理手段１１１、商品情報データベース３０１、掲載情報データベース３０２等を有し、クライアント端末（ページレイアウト装置）１０３に、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、実績情報表示設定手段１３１、実績情報表示手段１３２、過去媒体レイアウト表示手段１３３、過去媒体での商品検索手段１３４、過去媒体からの商品割付手段１３５等を有し、これらの実行可能プログラムであるページレイアウトプログラムを起動し、サーバ１０１側のデータベース管理手段１１１を介して、商品情報データベース３０１や掲載情報データベース３０２をアクセスしながら、ページレイアウト処理を行うが、サーバ１０１側に、ページレイアウトプログラムを搭載し、クライアント端末１０３からサーバ１０１のアプリケーションであるページレイアウト手段をアクセス、起動してもよい。
【００７６】
尚、図７乃至図１０等に示す処理を行うプログラムはＣＤ−ＲＯＭ等の記録媒体に保持させて流通させてもよいし、このプログラムを通信回線を介して送受することもできる。
【００７７】
以上、添付図面を参照しながら、本発明に係る媒体レイアウト支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００７８】
【図１】本実施の形態に係る媒体レイアウト支援システム１００の概略構成を示す図
【図２】サーバ１０１のハードウェア構成図
【図３】記憶部２０２が保持する情報を示す図
【図４】商品情報データベース３０１と掲載情報データベース３０２のデータ構造を示す図
【図５】ページレイアウトの情報のデータ構成を示す図
【図６】クライアント端末（ページレイアウト装置）１０３のハードウェア構成図
【図７】媒体の実績情報表示設定の処理手順を示すフローチャート
【図８】過去の媒体レイアウト一覧から選択した過去の媒体レイアウトの表示処理の処理手順を示すフローチャート
【図９】過去の媒体レイアウト８６内からの商品検索及び過去の媒体レイアウト８６から商品の現在の媒体レイアウト６６への割り付けを行う処理手順を示すフローチャート
【図１０】過去の媒体レイアウト８６内からの商品検索及び過去の媒体レイアウト８６から商品の現在の媒体レイアウト６６への割り付けを行う処理手順を示すフローチャート
【図１１】ログインから実績情報表示設定処理への画面遷移図
【図１２】実績情報表示設定画面５０を示す図
【図１３】過去の媒体レイアウト一覧から選択した過去の媒体レイアウトの表示の画面遷移図
【図１４】過去の媒体レイアウト８６内からの商品検索及び過去の媒体レイアウト８６から商品の現在の媒体レイアウト６６への割り付けを示す図
【符号の説明】
【００７９】
１００………媒体レイアウト支援システム
１０１………サーバ
１０３………クライアント端末（ページレイアウト装置）
１０９………ネットワーク
１１１………データベース管理手段
１２１………分類領域割付手段
１２２………コマ割付手段
１２３………検索手段
１２４………商品割付手段
１２５………割付情報記録手段
１２６………割付結果出力手段
１２７………媒体制作データ出力手段
１３１………実績情報表示設定手段
１３２………実績情報表示手段
１３３………過去媒体レイアウト表示手段
１３４………過去媒体での商品検索手段
１３５………過去媒体からの商品割付手段
２０１、４０１………制御部
２０２、４０２………記憶部
３０１………商品情報データベース
３０２………掲載情報データベース
３１０………商品情報
３１３………商品実績情報
３２０………割付情報
３２１………媒体情報
３２２………分類情報
３２３………コマ情報
３２４………実績情報表示設定情報
２１………ページ
２２………分類領域
２３………コマ（掲載領域）
５２………マーク画像
５３………背景色
５４………実績情報計算式
５５………条件
【図１】
2008234538.tif 000003
【図２】
2008234538.tif 000004
【図３】
2008234538.tif 000005
【図４】
2008234538.tif 000006
【図５】
2008234538.tif 000007
【図６】
2008234538.tif 000008
【図７】
2008234538.tif 000009
【図８】
2008234538.tif 000010
【図９】
2008234538.tif 000011
【図１０】
2008234538.tif 000012
【図１１】
2008234538.tif 000013
【図１２】
2008234538.tif 000014
【図１３】
2008234538.tif 000015
【図１４】
2008234538.tif 000016